(57)【特許請求の範囲】
【請求項１】
断熱筐体としてなる本体キャビネット内部に販売商品を収容した自動販売機と、この自動販売機とは別個に形成され、本体キャビネットの内部に空容器収容箱が内蔵されている空容器収容ボックスとを備え、前記自動販売機に隣接して空容器収容ボックスを追加装備してなるものにおいて、
前記自動販売機と前記空容器収容ボックスとに跨って配設される連結部材を設け、この連結部材により自動販売機と空容器収容ボックスとを一体的に連結してなり、
前記連結部材は、前記自動販売機及び前記空容器収容ボックスと略同一の高さ寸法とし、断面がコの字形状をなす左右の取付片と、中央の連結片で形成されていることを特徴とする自動販売機。
【請求項２】
前記連結部材の前記左右の取付片は、その内壁面を前記自動販売機と前記空容器収容ボックスの本体キャビネットの前面に突き当て、前記中央の連結片は、前記自動販売機と前記空容器収容ボックスの連結時の幅規制板として一体的に形成されていることを特徴とする請求項１に記載の自動販売機。
【請求項３】
前記連結部材は、前記自動販売機と前記空容器収容ボックスのそれぞれの前記本体キャビネット側面の内側に補強部材として設けられている側面補強金にネジで固定することにより、前記自動販売機と前記空容器収容ボックスを連結可能としたことを特徴とする請求項１または２に記載の自動販売機。
【請求項４】
前記連結部材は、前記自動販売機の本体キャビネット側面の内側に取り付けられ前記自動販売機の外扉をロックするために設けられた扉ロック板の取り付け用のネジと共締めすることにより取り付け可能としたことを特徴とする請求項１乃至３に記載の連結部材。
【請求項５】
前記空容器収容ボックスは、前記自動販売機と略同一の高さ寸法とし、本体キャビネット、外扉で構成され、前記本体キャビネット内部には、空容器収容箱が設けてあり、また前記外扉には、空容器投入口が設けてあり、前記空容器投入口から投入された空容器は、前記空容器収容箱に貯蔵させることを特徴とする請求項１に記載の自動販売機。
【発明の詳細な説明】
【技術分野】
【０００１】
この発明は缶飲料、ペットボトル飲料などを販売する自動販売機に関するものである。
【背景技術】
【０００２】
自動販売機により販売される缶飲料、ペットボトル飲料などの空容器は、資源の節約や不法投棄による環境汚染防止のために回収される。このような空容器の回収のために通常は、自動販売機の近傍に回収用の空容器入れ専用のごみ箱を設置しているのが一般的である。ところで、空容器内には飲料が付着して残るとともに飲み干さずに棄てられることもあり、棄てられた空容器から残り飲料が流れ出したり、残り飲料によって臭気が発生する。このため、ただ単に空容器を回収するごみ箱を自動販売機の近傍に設置した場合、空容器から流れ出した残り飲料が自動販売機の周囲を汚染したり、虫が群がったり、臭気が漂うおそれがある。そこで、空容器収容ボックスを自動販売機に内蔵した空容器収容ボックス内蔵型自動販売機が提供されている。（例えば、下記先行技術文献に記載の特許文献）
【先行技術文献】
【特許文献】
【０００３】
【特許文献１】特開２００８−２０４３０８号公報
【発明の概要】
【発明が解決しようとする課題】
【０００４】
上記文献に記載された空容器収容ボックス内蔵型自動販売機においては、自動販売機の筐体（箱、箱状または筒状の囲い、およびハウジングを含む）の内部にごみ箱を設け、自動販売機の外扉前面に空容器投入口を設けたものである。
【０００５】
しかしながら、この空容器収容ボックス内蔵型自動販売機は、自動販売機筐体内部に
空容器収容ボックスのスペースを確保する必要があり、そのスペース確保のためにはどうしても自動販売機自体の大型化が必要となり、自動販売機を設置する場所にスペース上の制約が生ずることになる。反対に、自動販売機を大型化せずに対応しようとする場合、自動販売機の商品収納庫に収容される商品収容数を少なくして対応せざるを得なく、商品の収容数低減につながる。
【０００６】
そのため、空容器収容ボックス内蔵型自動販売機を幅広く提供するには、設置ロケーションに応じて製品幅の異なる空容器収容ボックス内蔵型自動販売機のバリエーションを増やさなくてはならない。
【０００７】
本発明は、上記実情に鑑みてなされたものであり、その目的は前記課題を解決し、設置ロケーションに柔軟に対応することができ、空容器収容ボックスを追加装備可能な自動販売機を提供することを目的とする。
【課題を解決するための手段】
【０００８】
上記目的を達成するために、本発明の請求項１に係る自動販売機は、断熱筐体としてなる本体キャビネット内部に販売商品を収容した自動販売機と、この自動販売機とは別個に形成され、本体キャビネットの内部に空容器収容箱が内蔵されている空容器収容ボックスとを備え、前記自動販売機に隣接して空容器収容ボックスを追加装備してなるものにおいて、前記自動販売機と前記空容器収容ボックスとに跨って配設される連結部材を設け、この連結部材により自動販売機と空容器収容ボックスとを一体的に連結してなり、前記連結部材は、前記自動販売機及び前記空容器収容ボックスと略同一の高さ寸法とし、断面がコの字形状をなす左右の取付片と、中央の連結片で形成されていることを特徴とする。
【０００９】
また、請求項２に係る前記連結部材は、前記左右の取付片の内壁面を前記自動販売機と前記空容器収容ボックスの本体キャビネットの前面に突き当て、前記中央の連結片は、前記自動販売機と前記空容器収容ボックスを隣接させて連結する際の幅規制板として幅規制板として一体的に形成されていることを特徴とする。
【００１０】
また、請求項３に係る前記連結部材は、前記自動販売機と前記空容器収容ボックスのそれぞれの前記本体キャビネット側面の内側に補強部材として設けられている側面補強金にネジで固定することにより、前記自動販売機と前記空容器収容ボックスを連結可能としたことを特徴とする。
また、請求項４に係る前記連結部材は、前記自動販売機の本体キャビネット側面の内側に取り付けられ前記自動販売機の外扉をロックするために設けられた扉ロック板の取り付け用のネジと共締めすることにより取り付け可能としたことを特徴とする。
【００１１】
また、請求項５に係る前記空容器収容ボックスは、前記自動販売機と略同一の高さ寸法とし、本体キャビネット、外扉で構成され、前記本体キャビネット内部には、空容器収容箱が設けてあり、また前記外扉の前面には、空容器投入口を設けてあり、前記空容器投入口から投入された空容器は、前記空容器収容箱に貯蔵させることを可能としたことを特徴とする。
【発明の効果】
【００１２】
本発明の請求項１に係る自動販売機によれば、断熱筐体としてなる本体キャビネット内部に販売商品を収容した自動販売機と、この自動販売機とは別個に形成され、本体キャビネットの内部に空容器収容箱が内蔵されている空容器収容ボックスとを備え、前記自動販売機に隣接して前記空容器収容ボックスを追加装備してなるものにおいて、前記自動販売機と前記空容器収容ボックスとに跨って配設される連結部材を設け、前記空容器収容ボックスは前記連結部材により前記自動販売機に併設、連結固定させたことにより、前記自動販売機と前記空容器収容ボックスがあたかも一体化された態様となり、外観上の見栄え向上に寄与するとともに、空容器収容ボックス付きの環境対応型自動販売機として提供することができる。
また、本発明の請求項２に係る前記連結部材は、前記自動販売機と前記空容器収容ボックスと略同一の高さ寸法とし、断面がコの字形状をなす左右の取付片と、中央の連結片で一体的に形成され、前記連結片は、前記自動販売機、前記空容器収容ボックスとの間の隙間を必要最低減の幅に定める。それにより前記自動販売機、前記空容器収容ボックスそれぞれの外扉を開放する際に、互いに干渉することが無い必要な隙間を確保すると共に、併設設置時の幅規制板としての機能を持たせることができる。さらに前記自動販売機と前記空容器収容ボックスを併設する際の左右方向の位置決めが容易に可能となる。さらに、前記取付片を、前記自動販売機、前記空容器収容ボックスそれぞれの本体キャビネットの前面に突き当てて、取り付けることにより、前記自動販売機、前記空容器収容ボックスを併設する際の前後方向の位置決めが容易に可能となり、前記自動販売機、前記空容器収容ボックスがあたかも一体化された態様で併設させることができる。
【００１３】
請求項３、請求項４に係る前記連結部材は、前記自動販売機と前記空容器収容ボックスそれぞれの本体キャビネット側面の内側に補強部材として設けられている側面補強金にネジで固定することにより取り付け可能である上、前記自動販売機の外扉をロックするために設けられた扉ロック板の取り付け用のネジと、共締めによる取り付けが可能であることから、前記自動販売機と前記空容器収容ボックスを簡易に併設させることが可能である。
【００１４】
また、既に設置されている自動販売機にも前記空容器収容ボックスを併設させることができると共に、設置ロケーションに応じて前記前記空容器収容ボックスを撤去させることも可能である。さらに前記連結部材は、前記自動販売機と前記空容器収容ボックスそれぞれの前記本体キャビネット側面の内側に補強部材として設けてある側面補強金に被さる態様で取り付けられているため、従来の自動販売機に対し、バール等を用いた外扉のこじあけといった破壊行為に対し、防盗部材としての効果を発揮し、防盗性の向上、犯罪行為の抑止につながる。
【００１６】
請求項５に係る空容器収容ボックスは、空容器収容ボックス本体をなす本体キャビネットと、外扉で構成されており、本体キャビネットの内部に設けてある空容器収容箱は、天井面が開放した板金製の収容箱本体と、前記本体キャビネットに取り付けられている蓋体で構成し、前記蓋体が前記収容箱本体の天井面を覆うことで、前記収容箱本体に収容されている空容器が前記収容箱本体から溢れ出すのを防止することができる。
【００１７】
また前記空容器収容ボックスは、前記連結部材を介してネジで固定することにより併設させるため、前記自動販売機、前記空容器収容ボックスは個別に製品として提供することができる。また前記連結部材はネジで共締め可能であるため、併設、撤去が可能であると同時に、他の自動販売機への併設も可能である。さらに設置場所の制約がある場合は、製品幅の小さい自動販売機への空容器収容ボックスの併設を行なったり、設置場所の制約が少ないロケーションにおいては、大容量の自動販売機や製品幅の大きい多セレクションの自動販売機に併設させることも可能である。それにより、併設の汎用性が大幅に向上するとともに、空容器収容ボックス付き自動販売機を提供するにあたり、設置ロケーションへの対応に応じるべく、製品幅違いのバリエーションを揃えておく必要もない。
【００１８】
さらに、自動販売機と空容器収容ボックスを併設することにより、空容器の回収をスムーズに行なうことができるため、自動販売機により販売された缶飲料、ペットボトル飲料などの空容器を資源の節約や不法投棄による環境汚染防止に役立てることができる。また自動販売機への販売商品の補充する際に、空容器を回収する際の利便性が良くなり、ルート効率の向上にもつながる。
【図面の簡単な説明】
【００１９】
【図１】図１は、本発明の実施の形態である空容器収容ボックスに連結部材を介して併設した自動販売機の全体外観図である。
【図２】図２は、本発明の実施の形態である自動販売機と空容器収容ボックスに連結部材を介して併設した状態をあらわす上面図である。
【図３】図３は、自動販売機と空容器収容ボックスが連結部材を介して併設された状態を上面から見た自動販売機、空容器収容ボックス及び、連結部材を示した詳細断面図である。
【図４】図４は、自動販売機と空容器収容ボックスに連結部材を取り付ける過程を示した状態図である。
【図５】図５は、自動販売機と空容器収容ボックス両方の外扉を開いた状態を示す全体外観図である。
【発明を実施するための形態】
【００２０】
以下に添付図面を参照しながら、本発明に係る自動販売機の好適な実施の形態について詳細に説明する。
【００２１】
図１に示すように、本発明の実施の形態である自動販売機１は連結部材７を介して、空容器収容ボックス４が追加装備されている。
【００２２】
本実施の形態における自動販売機１は、缶飲料やペットボトル飲料などの商品を販売するもので、自動販売機本体をなす本体キャビネット２を有している。本体キャビネット２は、複数の比較的板厚の大きな鋼板からなる外箱の内部にウレタンフォームの断熱ボードを配設することによって断熱筐体として構成したもので、前面が外部に通じて開口した直方状をなしている。本体キャビネット２の内部には、図５に示すように、商品収容庫８があり、複数の商品収容ラック９が配置してある。前記商品収容ラック９の下部には、前面側に向けて傾斜させることで、前記商品収容ラック９から払い出された販売商品を搬出する搬出シュータ１０が設けてある。また、そして搬出シュータ１０の下方部には図示しない熱交換器が配設してあり、該熱交換器により、前記商品収容ラック９に収容した販売商品を所望の冷却温度、あるいは加熱温度に維持することが可能である。
【００２３】
また図５に示すように、本体キャビネット２において、商品収容庫８の前面側には、内扉１１が設けてある。内扉１１は、本体キャビネット２の前面開口を開閉するためのものであり、本体キャビネット２の前面を覆う態様で鋼板と断熱ボードの組み合わせによって構成してある。前記内扉１１は、本実施の形態では、商品収容ラック９への商品投入口から上側を覆う上部内扉１１ａと、上部内扉１１ａの下端から、下側の搬出シュータ１０までを覆う下部内扉１１ｂとからなり、下部内扉１１ｂには搬出シュータ１０を介して搬出される販売商品を外部に送出するためのフラッパ付き搬出口３４が設けられている。
【００２４】
また図１に示すように、外扉３は、本体キャビネット２の前面開口を覆う態様で、内扉１１よりも板厚の大きい鋼板によって堅牢に構成してある。外扉３は、本体キャビネット２の左端側でヒンジ結合された片開き式の扉であり、その上部領域の前面は、ディスプレイウィンドウ１２及び選択ボタン１３が設けてあり、その下部領域の前面は、商品取出口１４が設けてある。さらに前記外扉３の右側前面側には、硬貨投入口１５、紙幣挿入口１６、一体表示器１７、硬貨返却口１８、外扉３の右端側（反ヒンジ側）に配設された扉ロック装置を構成するロックハンドル１９が設けてある。前記外扉３における硬貨投入口１５、紙幣挿入口１６に対応する後面側には、硬貨処理機３５、紙幣処理機３６などが設けてある。前記ディスプレイウィンドウ１２は、収容した商品に応じた図示しない商品見本を利用者に視認させるための透明窓である。前記選択ボタン１３は、利用者が購入商品を選択するための押しボタンスイッチであり、ディスプレイウィンドウ１２を通じて視認される前記商品見本毎に用意してある。
【００２５】
また、前記商品取出口１４は、商品収容ラック９、搬出シュータ１０、下部内扉１１bの搬出口３４を介して搬出された商品を利用者が受け取るための開口である。前記硬貨投入口１５は、利用者が硬貨を投入するための開口である。この硬貨投入口１５通じて投入された硬貨は、硬貨処理機３５においてその金種が識別されて収容される。前記紙幣挿入口１６は、利用者が紙幣を挿入するための開口である。この紙幣挿入口１６を通じて挿入された紙幣は、紙幣処理機３６において識別される。また前記紙幣挿入口１６は、紙幣処理機３６において識別できなかった紙幣を返却するための機能も有している。前記一体表示器１７は、貨幣の投入金額、販売中であるか否か、釣り銭があるか否かなどの各種情報を利用者に表示するためのものである。前記硬貨返却口１８は、硬貨処理機３５において識別できなかった硬貨、あるいは釣り銭となる硬貨を利用者に返却するための開口である。ロックハンドル１９は、外扉３を本体キャビネット２にロックまたはロックを解除する扉ロック装置を構成し、キー操作によりポップアップして旋回可能な状態となり、このポップアップした前記ロックハンドル１９を回動させることにより外扉３に設けた図示しないスライダが上方へ移動し、本体キャビネット２における正面視右側側壁の前端から前方に突出する側面補強金３０に取り付けられたロック板２０（図３参照）との嵌合が解除されることにより、ロックが解除され、外扉３を開放するものである。なお、前記側面補強金３０は本体キャビネット２の外箱を補強するために予め備えられているものであり、本体キャビネット２の正面視左側側壁にも同様の側面補強金３１が取付けられている。
【００２６】
次に空容器収容ボックス４について説明する。空容器収容ボックス４は、空容器収容ボックス本体をなす本体キャビネット５と、外扉６で構成されている。本体キャビネット５は、複数の鋼板を組み合わせることによって構成したもので、前面が外部に通じて開口した直方状をなし、自動販売機１の本体キャビネット２と略同一の高さに形成されている。図５に示すように、本体キャビネット５の内部は、中央付近に設けられた仕切板２２によって、上下２つの空間領域に区分けされている。その下部領域２４には、空容器収容箱２５が設けてある。上部領域２３は、空きスペースとして形成され、自動販売機１への補充用の販売商品、商品ケースなどを保管する保管スペースとして利用可能である。上部領域２３及び下部領域２４の前面側には、前記上部領域２３、前記下部領域２４を断熱・気密するための内扉は設けられていない。前記外扉６は、本体キャビネット５の右端側でヒンジ結合された片開き式の扉であり、その上部前面は、ディスプレイウィンドウ２８及び選択ボタン２９が設けてある。また、外扉６の前面中央より下方付近に、空容器投入口２１が設けてある。空容器投入口２１は、缶飲料、ペットボトル飲料の容器を内部へ投入することが可能な大きさに形成されている。空容器投入口２１には、その背面に密着するように図示しない開閉蓋が設けられている。開閉蓋は、その上部の左右両端を図示しないピンなどで軸支することにより、回動可能に配設され、かつピンに挿入された図示しない付勢バネにより、常時、空容器投入口２１を閉塞するように構成されている。そうすることにより、空容器内に、飲み残しなどで残存している飲料による臭気が、空容器収容ボックス４の外部へ漏れ出すことを防止している。
【００２７】
図５に示すように、本体キャビネット５の内部の下部領域２４に敷設されている空容器収容箱２５は、天井面が開放した板金製の収容箱本体２６と、前記本体キャビネット５に取り付けられている蓋体２７で構成され、前記蓋体２７は、前記収容箱本体２６の天井面を覆い、空容器が前記収容箱本体２６から溢れ出すのを防止するために設けられている。収容箱本体２６は、複数の板金部品を接合することにより形成され、また、空容器を収容、回収するための図示しないビニール袋を上部から被せるために、天井面のみが開口している。また、前記蓋体２７は、上記空容器投入口２１から投入された缶飲料、ペットボトル飲料の空容器が前記収容箱本体２６に貯留するように前面部のみが開口している。
【００２８】
上記したように、外扉６の上部は、ディスプレイウィンドウ２８及び選択ボタン２９が設けてある。これは、図示しない商品見本を空容器収容ボックス４にも展示させることにより、併設させる自動販売機において、その設置場所の制約などにより、製品幅が小さい小型自動販売機との併設を想定し、収容コラム数に対し、選択ボタンが不足する場合に利用できるため、併設する自動販売機のバリエーションに柔軟に対応できる。なお、選択ボタン２９を追加する必要がない場合には選択ボタン２９を削除してディスプレイウィンドウ２８を取り付けて、その内部を新商品の宣伝用ポスターやさまざまな広告を掲示させることで、販促スペースとして利用することも可能である。
【００２９】
さて、自動販売機１に空容器収容ボックス４を追加装備するために設けた連結部材７について、図２〜図４を用いて説明する。図２に示すように、連結部材７は、自動販売機１と空容器収容ボックス４に跨って設けられる。前記連結部材７は鋼板製になり、図３に示すように、その断面がコの字形状をなす左右の取付片７１，７２と、中央の連結片７３で形成されている。
【００３０】
連結部材７の高さ寸法は自動販売機１の本体キャビネット２と空容器収容ボックス４の本体キャビネット５と略同一の高さ寸法を有している。なお、前記連結部材７の一方の取付片７１には前記本体キャビネット２から前方に突出する側面補強金３０（図３参照）が貫通する貫通孔（不図示）が形成されているものである。前記連結部材７のコ字状の取付片７１は、自動販売機１の本体キャビネット２における正面視右側側壁の前縁に嵌合する大きさ、すなわち、本体キャビネット３の外箱の厚さ寸法およびこの外箱の前面内側に溶接結合された側面補強金３０の外箱からの高さ寸法に略一致する幅を有している。また前記連結部材７の一方の取付片７２には前記本体キャビネット５から前方に突出する側面補強金３１（図３参照）が貫通する貫通孔（不図示）が形成されているものである。前記連結部材７のコ字状の取付片７２は、空容器収容ボックス４の本体キャビネット５における正面視左側側壁の前縁に嵌合する大きさ、すなわち、本体キャビネット５の外箱の厚さ寸法およびこの外箱の前面内側に溶接結合された側面補強金３１の外箱からの高さ寸法に略一致する幅を有している。
【００３１】
この連結部材７は次記のように自動販売機１と空容器収納ボックス４との間に跨って取付けられる。すなわち、図３に示すように、上記連結部材７の一方の取付片７１が、上記本体キャビネット２の右側側壁の前縁（側面補強金３０と本体キャビネット２の外箱）に、他方の取付片７２が、上記本体キャビネット５の左側側壁の前縁（側面補強金３１と本体キャビネット５の外箱）に被さる態様で自動販売機１、空容器収容ボックス４との間に跨るように敷設する。
【００３２】
そして、図３に示すように、前記連結部材７は、自動販売機１と空容器収容ボックス４それぞれの本体キャビネット２、５の前面内側に溶接結合された側面補強金３０、３１に、複数のネジ３２、３３により締結固定されている。
【００３３】
この場合、上記連結部材７の中央にある連結片７３は、自動販売機１と、空容器収容ボックス４との間の隙間を必要最低減の幅に定める機能を有する。すなわち、連結片７３は、自動販売機１、空容器収容ボックス４それぞれの外扉３，６を開放する際に、互いに干渉することが無い必要な隙間を確保するために必要な幅として形成し、併設設置時の幅規制板としての機能を持たせる。これにより、自動販売機１、空容器収容ボックス４を併設する際の、左右方向の位置決めが容易に可能となる。
【００３４】
さらに、上記連結部材７の取付片７１の内壁面７１a、取付片７２の内壁面７２aを、自動販売機１と空容器収容ボックス４それぞれの本体キャビネット２、本体キャビネット５の前面に突き当てて、ネジ３２、３３で固定させる取り付け方法とすることにより、自動販売機１、空容器収容ボックス４を併設する際の、前後方向の位置決めが容易に可能となり、自動販売機１、空容器収容ボックス４があたかも一体化された態様で併設させることができる。
【００３５】
また、自動販売機１、空容器収容ボックス４の間に敷設されている連結部材７が、自動販売機１の前縁と外扉３背面との間の合わせ目に位置しており、その合わせ目の隙間を塞ぐことから本体キャビネット２の前縁と外扉３背面との合わせ目に、バール等の工具を用いて強引に外扉をこじあける破壊行為に対し、防盗部材としての役目をはたし、防盗性向上、視覚的な犯罪行為抑止効果につなげることができる。
【産業上の利用可能性】
【００３６】
以上のように本発明に係る自動販売機は、個々の機材を連結部材を用いることにより併設固定ができるため、缶・ペット自動販売機以外のさまざまな自動販売機に有用である。
【符号の説明】
【００３７】
１・・・自動販売機、２・・・本体キャビネット、３・・・外扉、  ４・・・空容器収容ボックス、５・・・本体キャビネット、６・・・外扉、７・・・連結部材、７１、７２・・・取付片、７１ａ、７２ａ・・・内壁面、７３・・・連結片、８・・・商品収容庫、９・・・商品収容ラック、１０・・・搬出シュータ、１１・・・内扉、１２・・・ディスプレイウィンドウ、１３・・・選択ボタン、１４・・・商品取出口、１５・・・硬貨投入口、１６・・・紙幣挿入口、１７・・・一体表示器、１８・・・硬貨返却口、１９・・・ロックハンドル、２０・・・ロック板、２１・・・空容器投入口、２２・・・仕切板、２３・・・上部領域、２４・・・下部領域、２５・・・空容器収容箱、２６・・・収容箱本体、２７・・・蓋体、２８・・・ディスプレイウィンドウ、２９・・・選択ボタン、３０、３１・・・側面補強金、３２、３３・・・固定ネジ、３４・・・搬出口、３５・・・硬貨処理機、３６・・・紙幣処理機
【図１】
0005691345.tif 000002
【図２】
0005691345.tif 000003
【図３】
0005691345.tif 000004
【図４】
0005691345.tif 000005
【図５】
0005691345.tif 000006